(57)【要約】【課題】  遊技者が自己の技量をもって遊技球の流下を制御することで、入賞装置の可動部材の可動に寄与することができ、またそれによって遊技球の入賞し易さを左右させることが可能な遊技機の入賞装置の提供を課題とする。【解決手段】  遊技盤面上に設けられ、遊技領域を流下してくる遊技球を受け入れて入賞検出手段へ導くことで入賞を検出させるようにした遊技機の入賞装置５であって、遊技球を通過させる１乃至複数個からなる遊技球通過口５１２、５１３、５２１と、該遊技球通過口の少なくとも１つに対して設備されてその遊技球通過口の開閉を行う開閉部材５４と、入賞装置５の外部を流下する遊技球の衝突を受けることで安定位置から揺動することができる衝突揺動部材５３とを有し、該衝突揺動部材５３が揺動したときにそれに連動して前記開閉部材５４が対応する遊技球通過口５２１を閉止するように構成した。【選択図】        図３
2006006623.tif 000002
【特許請求の範囲】
【請求項１】
遊技盤面上に設けられ、遊技領域を流下してくる遊技球を受け入れて入賞検出手段へ導くことで入賞を検出させるようにした遊技機の入賞装置であって、
遊技球を通過させる１乃至複数個からなる遊技球通過口と、該遊技球通過口の少なくとも１つに対して設備されてその遊技球通過口の開閉を行う開閉部材と、入賞装置の外部を流下する遊技球の衝突を受けることで安定位置から揺動することができる衝突揺動部材とを有し、該衝突揺動部材が揺動したときにそれに連動して前記開閉部材が対応する遊技球通過口を閉止するように構成したことを特徴とする遊技機の入賞装置。
【請求項２】
遊技球通過口は、遊技球を入賞装置内へ受け入れる球受入口と入賞装置内に受け入れた遊技球を入賞検出手段へ導くための球排出口とからなり、開閉部材は前記球受入口に設備され、衝突揺動部材が揺動したときに球受入口が閉止されるように構成したことを特徴とする請求項１に記載の遊技機の入賞装置。
【請求項３】
球受入口は盤面に設けられた入賞装置の本体ケースに設け、衝突揺動部材はその両翼を本体ケースの左右側面から突出させて設け、衝突揺動部材の両翼の何れかが本体ケースの外部を流下する遊技球に衝突することで揺動するように構成した請求項２に記載の遊技機の入賞装置。
【請求項４】
開閉部材と衝突揺動部材は連結手段によって直接的に連結されており、衝突揺動部材が付勢手段により安定位置にあるときに開閉部材が遊技球通過口を開放する位置にあるように構成したことを特徴とする請求項１〜３の何れかに記載の遊技機の入賞装置。
【発明の詳細な説明】
【技術分野】
【０００１】
本発明は遊技機の入賞装置に関する。
【背景技術】
【０００２】
従来、パチンコ遊技機等の遊技機においては、その遊技盤の遊技領域において、パチンコ球等の遊技球が入賞し易い状態と入賞し難い状態とに状態を変更することができる可変入賞装置が配設されたものがある。
前記可変入賞装置の大部分は、電気的駆動源を用いた作動により、入賞装置の可動翼片を動かして、開放位置と閉止位置とに変換するものである。
また例えば特開平５−１６８７４７号公報に開示されている入賞装置のように、入賞を果たした遊技球がチューリップ等と称される可動片の間を通過する際に、その入賞した遊技球により可動片を起立又は傾動させるようにした入賞装置が提供されている。
一方、本出願人が提供した特開２００２−１７７４９６号公報に係る入賞装置においては、入賞した遊技球を振り分ける手段として揺動する振り分け部材を用い、この振り分け部材の揺動を入賞装置の外を流下する遊技球との衝突により行わせて、前記入賞球の振り分けを行うようにしたものが提供されている。
【特許文献１】特開平５−１６８７４７号公報
【特許文献２】特開２００２−１７７４９６号公報
【発明の開示】
【発明が解決しようとする課題】
【０００３】
ところが上記電気的駆動源を用いて入賞装置の可動片を動かすものは、あくまで電気的に一律に動作させるものであり、そこに遊技者の意思や技量などが入る余地がないものである。
また上記特開平５−１６８７４７号公報にかかる入賞装置は、既に入賞を果たした遊技球によって可動片が一定の手順で自動的に可動されるものであり、そこにも遊技者の意思や技量の入る余地が全くないのである。
このように従来における入賞装置においては、遊技球の入賞口等への入り易さを変更する役割を果たす可動片は、何れも遊技者とは無関係に一定の条件の成立により自動的に動くように構成されており、例え技量に優れた遊技者であっても、遊技球の流下を利用して可動片の動きを遊技者が制御することができないものであった。
更に上記特開２００２−１７７４９６号公報にかかる入賞装置は、遊技球によって揺動される揺動片を用いたものではあるが、その基本的な技術思想は、既に入賞を果たした遊技球を揺動片の揺動によって振り分けするのに止まり、遊技球の入賞口等への入り易さ、そのものに対する難容を変更するものではなかった。
【０００４】
そこで本発明は上記従来の遊技機の入賞装置における問題を解消し、遊技者が自己の技量をもって遊技球の流下を制御することで、入賞装置の可動部材の可動に寄与することができ、またそれによって遊技球の入賞し易さを左右させることが可能な遊技機の入賞装置の提供を課題とする。
【課題を解決するための手段】
【０００５】
上記課題を達成するため、本発明の遊技機の入賞装置は、遊技盤面上に設けられ、遊技領域を流下してくる遊技球を受け入れて入賞検出手段へ導くことで入賞を検出させるようにした遊技機の入賞装置であって、遊技球を通過させる１乃至複数個からなる遊技球通過口と、該遊技球通過口の少なくとも１つに対して設備されてその遊技球通過口の開閉を行う開閉部材と、入賞装置の外部を流下する遊技球の衝突を受けることで安定位置から揺動することができる衝突揺動部材とを有し、該衝突揺動部材が揺動したときにそれに連動して前記開閉部材が対応する遊技球通過口を閉止するように構成したことを第１の特徴としている。
また本発明の遊技機の入賞装置は、上記第１の特徴に加えて、遊技球通過口は、遊技球を入賞装置内へ受け入れる球受入口と入賞装置内に受け入れた遊技球を入賞検出手段へ導くための球排出口とからなり、開閉部材は前記球受入口に設けられ、衝突揺動部材が揺動したときに球受入口が閉止されるように構成したことを第２の特徴としている。
また本発明の遊技機の入賞装置は、上記第２の特徴に加えて、球受入口は盤面に設けられた入賞装置の本体ケースに設け、衝突揺動部材はその両翼を本体ケースの左右側面から突出させて設け、衝突揺動部材の両翼の何れかが本体ケースの外部を流下する遊技球に衝突することで揺動するように構成したことを第３の特徴としている。
また本発明の遊技機の入賞装置は、上記第１〜第３の何れかの特徴に加えて、開閉部材と衝突揺動部材は連結手段によって直接的に連結されており、衝突揺動部材が付勢手段により安定位置にあるときに開閉部材が遊技球通過口を開放する位置にあるように構成したことを第４の特徴としている。
【０００６】
上記第１の特徴をもつ遊技機の入賞装置によれば、遊技領域を流下してきた遊技球は入賞装置の１乃至複数の遊技球通過口を通過することで、入賞検出手段により検出されて入賞とされる。そして遊技球通過口の少なくとも１つは、開閉部材によってその開閉が行われ、その開閉部材は衝突揺動部材の揺動に連動して遊技球通過口を閉止する。衝突揺動部材は入賞装置の外部を流下する遊技球の衝突を受けることで、安定位置から揺動し、再び安定位置へと復帰する。開閉部材は衝突揺動部材が揺動している間において、遊技球通過口を閉止する。遊技球通過口が閉止状態にある場合には、遊技球がその遊技球通過口を通過して行くことができない。遊技者は自己の技量を用いて遊技球が衝突揺動部材に当たらないように、或いは当たるタイミングが遊技球通過口への遊技球の流下のタイミングとずれるようにする等の工夫と技量を発揮することで、入賞効率を上げることができる。
【０００７】
上記第２の特徴をもつ遊技機の入賞装置によれば、入賞装置は遊技球通過口として、遊技球を入賞装置内へ受け入れる球受入口と、入賞装置内に受け入れた遊技球を入賞検出手段へ導くための球排出口とからなり、遊技盤の遊技領域を流下する遊技球が球受入口から入賞装置に入り、球排出口から入賞検出手段に導かれることで、入賞検出手段により検出されて入賞とされる。開閉部材は球受入口に設備されて、衝突揺動部材が揺動すると球受入口が閉止される。従って遊技者は遊技球を上手く打ち分けることで、遊技球を球受入口へ向けて流下させながら一方で遊技球が衝突揺動部材に衝突しないような、或いは衝突しても揺動し難いような流下方向等を工夫して、球受入口をできるだけ閉じないようにその技量を発揮することで、入賞効率を上げることができる。
【０００８】
上記第３の特徴をもつ遊技機の入賞装置によれば、上記第２の特徴に加えて、球受入口は入賞装置の本体ケースに設けられ、衝突揺動部材は、その両翼を本体ケースの左右側面から突出する状態に設けられている。そして本体ケースの外側を流下してくる遊技球が衝突揺動部材の両翼の何れかに衝突して揺動がなされると、その揺動によって開閉部材が球受入口を閉止する。その閉止の間においては、流下してくる遊技球は球受入口から入賞装置の中へ入ることができない。遊技者は入賞装置の両側面から突出する衝突揺動部材の両翼に遊技球が当たらないようにし、或いは当たっても余り揺動しないようにする等の工夫をしながら、タイミングよく遊技球が球受入口へ流下するようにして、遊技球が球受入口に入る度合い上げ、これによって入賞効率を上げることができる。
【０００９】
上記第４の特徴をもつ遊技機の入賞装置によれば、上記１〜第３の何れかの特徴に加えて、開閉部材と衝突揺動部材は連結手段によって直接的に連結されており、衝突揺動部材が安定位置にあるときには開閉部材は遊技球通過口を開放している。衝突揺動部材が遊技球の衝突により揺動すると、開閉部材がそれによって直接的に動いて遊技球通過口を閉止する。よってこの間は、遊技球は遊技球通過口を通過することができなくなる。
【発明の効果】
【００１０】
請求項１に記載の遊技機の入賞装置によれば、遊技盤面上に設けられ、遊技領域を流下してくる遊技球を受け入れて入賞検出手段へ導くことで入賞を検出させるようにした遊技機の入賞装置であって、遊技球を通過させる１乃至複数個からなる遊技球通過口と、該遊技球通過口の少なくとも１つに対して設備されてその遊技球通過口の開閉を行う開閉部材と、入賞装置の外部を流下する遊技球の衝突を受けることで安定位置から揺動することができる衝突揺動部材とを有し、該衝突揺動部材が揺動したときにそれに連動して前記開閉部材が対応する遊技球通過口を閉止するように構成したので、
遊技盤面上を流下する遊技球が入賞装置に入り、入賞検出手段へ導かれて入賞となるためには、遊技者は遊技球が入賞装置のところに流下して行くように発射調整をすると共に、入賞装置の外側を流下する遊技球が衝突揺動部材にできるだけ衝突しないように発射調整をしなければならなくなる。即ち、遊技者にとっては単純な発射調整ではなく、試行錯誤をしながら自己の技量を高めることにより、また遊技中における遊技球の流下コースの微妙な差異やタイミングをいつも調整、確認しながら遊技球の発射をすることにより、努力次第でより効率のよい入賞を得ることができる。よって遊技者の技量に対する興味を高め、また遊技中において単純な発射操作による倦怠を招くことなく、常に遊技者の技量が要求され、またそれによって勝ち負けの結果にもつながるという、遊技者にとって勝負心が沸き、倦怠することのない面白い遊技機を提供することができる。
【００１１】
また請求項２に記載の遊技機の入賞装置によれば、上記請求項１の遊技機の入賞装置による効果に加えて、遊技球通過口は、遊技球を入賞装置内へ受け入れる球受入口と入賞装置内に受け入れた遊技球を入賞検出手段へ導くための球排出口とからなり、開閉部材は前記球受入口に設けられ、衝突揺動部材が揺動したときに球受入口が閉止されるように構成したので、
遊技者は入賞装置の球受入口が閉止されないように、遊技球が衝突揺動部材にできるだけ衝突しないように調整し、また入賞装置の球受入口が開いた状態にある間にタイミングよく遊技球が球受入口に入るように、入賞装置の球受入口に向けての遊技球の流下をも調整することになる。そしてその両者の調整を上手く行うことにより、より効率のよい入賞を得ることができる。即ち、遊技中において遊技者に自己の技量を大いに発揮させる機会を与えると共に、遊技者にとって技量が高ければそれだけ多くの入賞を確保することが可能となる。よって遊技者に技量の発揮できるチャンスを与え、また盤面に注意力を集めさせて、遊技に夢中にさせることができる面白い遊技機を提供することができる。
【００１２】
また請求項３に記載の遊技機の入賞装置によれば、上記請求項２の遊技機の入賞装置による効果に加えて、球受入口は盤面に設けられた入賞装置の本体ケースに設け、衝突揺動部材はその両翼を本体ケースの左右側面から突出させて設け、衝突揺動部材の両翼の何れかが本体ケースの外部を流下する遊技球に衝突することで揺動するように構成したので、
遊技者は、入賞装置の本体ケースの左右側面から突出する衝突揺動部材の両翼に遊技球が衝突しないように或いは衝突揺動部材があまり揺動しないような衝突となるように、遊技球の流下を工夫しながら、本体ケースの球受入口が開放している間に遊技球がタイミングよく球受入口に入るよう、遊技球の流下方向のバランスを工夫することになる。よって、遊技者に工夫や技量を高める余地を与え、また工夫と自己の技量によってより効率的な入賞が可能となる楽しみを与え、盤面における衝突揺動部材の揺動と遊技球の流下の具合に一喜一憂させることができる面白い遊技機を提供することができる。
【００１３】
また請求項４に記載の遊技機の入賞装置によれば、上記請求項１〜３の何れかに記載の遊技機の入賞装置による効果に加えて、開閉部材と衝突揺動部材は連結手段によって直接的に連結されており、衝突揺動部材が付勢手段により安定位置にあるときに開閉部材が遊技球通過口を開放する位置にあるように構成したので、
遊技者の打った遊技球が衝突揺動部材に衝突して該衝突揺動部材が揺動すると、それに直接的に連結された開閉部材が即応して速やかに動いて遊技球通過口を閉止し、また衝突揺動部材の揺動が止むことで即応して遊技球通過口を開放することができる。従って遊技者は衝突揺動部材の動きだけを見ながら、遊技球の打ち分けをタイミングよく行うことで、効率的な入賞を果たすことが可能となる。よって遊技者の工夫、努力次第で効率のよい入賞を果たすことが可能であり、また盤面における衝突揺動部材の揺動と開閉部材の動きに一喜一憂させることができる面白い遊技機を提供することができる。
【発明を実施するための最良の形態】
【００１４】
以下の図面を参照して、本発明の実施形態を詳細に説明する。
図１は本発明に係る遊技機としてのパチンコ遊技機の遊技盤の正面図、図２は本発明の実施形態である遊技機の入賞装置の斜視図、図３は同入賞装置の分解斜視図、図４の（Ａ）、（Ｂ）、（Ｃ）は入賞装置の動作を説明する図である。
【００１５】
先ず図１を参照して、パチンコ遊技機の遊技盤１には、その盤面に略円形の領域からなる遊技領域２が設けられており、遊技領域２の盤面には図柄表示部３ａを備えたセンターケース３、遊技球が通過するゲート４、本発明に係る入賞装置５、その他の入賞装置６、大入賞装置７、アウト口８、風車９、図視しない釘等の遊技要素が設けられている。図示しない発射手段によって発射された遊技球はガイドレール１０に沿って遊技領域２に打ち込まれ、遊技領域２内をその上部から下方へと遊技盤１面上を流下し、入賞装置５、６、７に入賞し、入賞を逃した遊技球はアウト口８に入る。入賞装置５、６、７に入賞すると、報償として所定の遊技球等の払い出しを受けることができる。
【００１６】
図２、図３も参照して、本発明に係る入賞装置５は、遊技盤１面上に設けられ、遊技領域２を流下してくる遊技球を受け入れて、これを遊技盤１の背面側にある図示しない入賞検出センサへ導くことで、入賞を検出させる。
入賞装置５は、遊技盤１の盤面に対して取り付けられる取付基板５１と、該取付基板５１に対して取り付けられる本体ケース５２と、衝突揺動部材５３と、開閉部材５４と、前記衝突揺動部材５３と開閉部材５４とを連結する連結手段としての連結部材５５とを有する。
【００１７】
前記取付基板５１は円板状に構成され、遊技盤１の表面にネジ等で取り付けられる。５１１はネジ固定用のネジ穴である。また取付基板５１には、入賞装置内に受け入れた遊技球を遊技盤１の背面側へ排出する一対の球排出口５１２、５１３が設けられている。また取付基板５１の中心部に連結部材５５を軸受けする中心穴５１４が設けられている。球排出口５１２、５１３から遊技盤１の背面に排出された遊技球は、入賞検出手段によって入賞が検出される。
【００１８】
前記本体ケース５２は、遊技盤１面に対して垂直に配置される筒状の側周壁５２ａと、該側周壁５２ａの先端部を閉塞する端面壁５２ｂとからなるキャップ状のケースとされ、前記側周壁５２ａの最上部に球受入口５２１が上向きに設けられ、また側周壁５２ａの左右側面には前記衝突揺動部材５３の両翼部５３２、５３２を貫通状態で揺動可能に遊嵌させることができる一対の揺動用スリット５２２、５２２が円周方向に設けられている。前記側周壁５２ａは組み立て前において円周の分割ラインＬで２つに分割されており、後述する衝突揺動部材５３の翼部５３２を揺動用スリット５２２に組み合わせた後、その分割ラインＬで接合一体化する構成としている。
一方、前記本体ケース５２の端面壁５２ｂには、前記開閉部材５４の開閉部５４２を貫通状態に受け入れて回動可能に遊嵌することができる１つの開閉用スリット５２３と、前記連結部材５５を貫通させて回転自在に軸受けする中心穴５２４が設けられている。この本体ケース５２と前記取付基板５１は完成品として相互に一体とされる。
【００１９】
前記衝突揺動部材５３は、中心軸部５３１と、該中心軸部５３１の両側から水平方向に延設された一対の翼部５３２、５３２と、前記中心軸部５３１の下面から垂下して設けられるバランス錘部５３３とを有する。
前記中心軸部５３１は衝突揺動部材５３の揺動中心となる部分で、中心軸部５３１の中心を貫通して前記連結部材５５が貫通結合される連結穴５３４が設けられている。また中心軸部５３１の上面には、遊技球を保持して案内するガイド部５３１ａが設けられている。
前記一対の翼部５３２、５３２は、前記本体ケース５２の揺動用スリット５２２を貫通した状態で中心軸部５３１に固定されるように構成され、揺動用スリット５２２から外方へ突出した先端部は衝突受部５３２ａとして、上方から流下してくる遊技球の衝突を受け易いように上向きの水平面に形成されている。
前記バランス錘部５３３により、衝突揺動部材５３はその安定位置として両翼部５３２、５３２が略水平な状態にある位置をとり、遊技球が前記両翼部５３２、５３２の何れかに衝突することで、中心軸部５３１を中心に揺動し、再び安定位置に復帰する。バランス錘部５３３は、衝突揺動部材５３を安定位置に付勢する手段であるから、バネ等の弾性部材やその他の付勢手段でバランス錘部５３３の代わりとすることができる。
【００２０】
前記開閉部材５４は、前記衝突揺動部材５３と連結され、衝突揺動部材５３の揺動に伴って前記球受入口５２１を開閉する部材である。
開閉部材５４はアーム部５４１と開閉部５４２とを有し、アーム部５４１には前記連結部材５５が貫通して連結する連結穴５４３が設けられている。アーム部５４１は前記衝突揺動部材５３の揺動に伴って前記連結穴５４３に貫通連結する連結部材５５を中心にして回動する。また前記開閉部５４２には逃げ溝５４２ａが中央に形成されている。この開閉部５４２は、前記本体ケース５２の開閉用スリット５２３を貫通して本体ケース５２内に進出した状態で前記球受入口５２１に対向した状態に配置され、開閉手段の役割をなす。
【００２１】
前記連結部材５５は、前記衝突揺動部材５３と開閉部材５４とを直接的に連結する連結手段として用いられ、また連結された衝突揺動部材５３と開閉部材５４とが一体となって揺動するときの揺動軸となる。連結部材５５は、支軸部５５１と、該支軸部５５１の２ヵ所に形成された連結片５５２、５５３とを有する。前記支軸部５５１は、前記取付板５１の中心穴５１４と本体ケース５２の中心穴５２４とで軸受けされる。また前記連結片５５２は前記衝突揺動部材５３の連結穴５３４と組み合わされて両者を連結する。一方、前記連結片５５３は開閉部材５４の連結穴５４３と組み合わされて両者を連結する。
【００２２】
次に図４も参照して、入賞装置５の動作を説明する。
今、衝突揺動部材５３が遊技球Ｂ３の衝突を受けることなく安定した水平状態にある場合、即ち図４の（Ａ）に示すような衝突揺動部材５３の位置においては、開閉部材５４の開閉部５４２の逃げ溝５４２ａが球受入口５２１と一致し、球受入口５２１を開放しているため、球受入口５２１に流下してきた遊技球Ｂ１は、球受入口５２１から入賞装置５内に入ることができる。本実施形態では、遊技球Ｂ１は球受入口５２１から入ったところで一旦ガイド部５３１ａによって保持され、衝突揺動部材５３が揺動した際に、球排出口５１２、５１３の何れかから遊技盤１の背面側に排出され、入賞検出手段によって入賞が検出される。即ち、図４の（Ｂ）の状態になるとガイド部５３１ａに保持された遊技球Ｂ１は球排出口５１２に入り、図４の（Ｃ）の状態になるとガイド部５３１ａに保持された遊技球Ｂ１はもう１つの球排出口５１３に入る。この場合において、遊技球Ｂ１が球排出口５１２、５１３の何れの球排出口から排出されるかで、入賞に対する報償が異なるように構成されている場合は、遊技者は報償の良い方を得るために、衝突揺動部材５３の何れか一方の翼部５３２の衝突受部５３２ａに遊技球Ｂ３を当てて、その揺動方向を制御しようとすることになる。
【００２３】
前記図４の（Ａ）の状態において、入賞装置５の外部を流下する遊技球Ｂ３が、図４の（Ｂ）、（Ｃ）に示すように衝突揺動部材５３の翼部５３２の衝突受部５３２ａに衝突すると、衝突揺動部材５３が揺動し、それに伴って開閉部材５４が回動（揺動）する結果、前記球受入口５２１を閉止する。すると前記球受入口５２１のところへ流下してきた遊技球Ｂ２は球受入口５２１から入賞装置５内に入ることができず、弾かれて入賞できず、下方に流下する。よって遊技者は、遊技球Ｂ３が衝突揺動部材５３にできるだけ当らないように発射角度や発射強さなどを工夫し、球受入口５２１の開放時間が多くなるように工夫して、効率のよい入賞を狙うことになる。
【００２４】
上記において入賞装置５は、要するにその遊技球Ｂの入賞を検出する入賞検出手段の手前に配置され、遊技盤１面を流下する遊技球Ｂを受け入れて、遊技盤１背面の入賞検出手段に導くための装置を言うものとする。
また上記の実施形態においては、入賞装置５には球受入口５２１と球排出口５１２、５１３とを設けたが、球受入口５２１と球排出口５１２、５１３との間に更に遊技球通過口を設けるようにすることもできる。球受入口５２１も球排出口５１２、５１３も、入賞装置５においては遊技球通過口としてとらえることができ、開閉部材５４による開閉についても、前記球受入口５２１に替えて或いは加えて、球排出口５１２、５１３に設けてもよいし、また他の遊技球通過口に開閉部材５４を設けて、衝突揺動部材５３の揺動によって閉止するようにしてもよい。また２種類の衝突揺動部材を設けて、その片方では揺動により遊技球通過口を閉止し、他方では揺動により遊技球通過口を開放するようにして、組み合わせるようにすることもできる。このような構成も本発明の範囲内である。
前記衝突揺動部材５３は、遊技球Ｂを受ける部分として翼部５３２を一対設けているが、片翼に構成してもよい。このような構成も本発明の範囲に属するものである。
また衝突揺動部材５３と開閉部材５４とは、何れも必要構成要素であるが、具体的な構成は、それぞれ本実施形態において説明した構成に限定されるものではない。また衝突揺動部材５３と開閉部材５４とは、連結部材５５で直接的に連結することで、衝突揺動部材５３の動きと開閉部材５４の動きが１対１対応して即動するようにしているが、場合によっては衝突揺動部材５３の動きと開閉部材５４の動きに時間的ズレをもたらし、或いは動きそのものが異なる動きとなるようにしてもよい。このような構成も本発明の範囲内である。
【図面の簡単な説明】
【００２５】
【図１】本発明に係る遊技機としてのパチンコ遊技機の遊技盤の正面図である。
【図２】本発明の実施形態である遊技機の入賞装置の斜視図である。
【図３】本発明に係る遊技機の入賞装置の分解斜視図である。
【図４】本発明に係る遊技機の入賞装置の動作を説明する断面図で、（Ａ）は衝突揺動部材が揺動していない状態を示し、（Ｂ）と（Ｃ）は衝突揺動部材が揺動して開閉部材が球受入口を閉止している状態を示す。
【符号の説明】
【００２６】
１        遊技盤
２        遊技領域
３        センターケース
５        本発明に係る入賞装置
６        その他の入賞装置
７        大入賞装置
８        アウト口
１０      ガイドレール
５１      取付基板
５２      本体ケース
５２ａ    側周壁
５２ｂ    端面壁
５３      衝突揺動部材
５４      開閉部材
５５      連結部材
５１１    ネジ穴
５１２、５１３  球排出口
５１４    中心穴
５２１    球受入口
５２２    揺動用スリット
５２３    開閉用スリット
５２４    中心穴
５３１    中心軸部
５３１ａ  ガイド部
５３２    翼部
５３２ａ  衝突受部
５３３    バランス錘部
５３４    連結穴
５４１    アーム部
５４２    開閉部
５４２ａ  逃げ溝
５４３    連結穴
５５１    支軸部
５５２    連結片
５５３    連結片
Ｂ        遊技球
【図１】
2006006623.tif 000003
【図２】
2006006623.tif 000004
【図３】
2006006623.tif 000005
【図４】
2006006623.tif 000006